(57)【特許請求の範囲】
【請求項１】
楽曲索引データベースと、唱歌録音作品データベースと、ユーザインタフェースと、制御手段を備えたカラオケ唱歌録音作品の鑑賞システムであって、
楽曲索引データベースは、カラオケ装置で演奏される各楽曲について、楽曲ＩＤと、曲名・アーティスト名・ジャンルを含む楽曲属性を対応づけて記述し、
唱歌録音作品データベースは、カラオケ装置で演奏されたカラオケ伴奏音楽とこれに合わせて歌った人の歌声を録音したカラオケ唱歌録音作品を作品ＩＤに対応づけして格納し、目次を有し、
目次は、各カラオケ唱歌録音作品について、楽曲ＩＤと、歌唱者名称を含む歌唱者属性と、歌唱の声質評価記述と、歌唱の技巧評価記述の対応づけを含み、
ユーザインタフェースは、制御手段の制御に従い利用者に情報を表示するとともに、利用者の操作入力を受け付け、
制御手段は、利用者に、ユーザインタフェースを介して楽曲索引データベースに基づく楽曲検索を行わせ、
制御手段は、利用者が楽曲検索により１つの楽曲を特定した際、第１処理〜第４処理を行い、
第１処理は、特定された楽曲の楽曲ＩＤに基づいて唱歌録音作品データベースの目次を検索し、当該楽曲ＩＤに対応づけされた複数作品分の歌唱者属性・声質評価記述・技巧評価記述を抽出し、
第２処理は、第１処理で抽出した作品数と、歌唱者属性・声質評価記述・技巧評価記述に関する複数の属性項目のそれぞれについての属性値選択肢とをユーザインタフェースに表示するとともに、属性値選択肢に対する利用者の選択入力を受け付け、
第３処理は、第２処理で受け付けた利用者選択情報と、第１処理で抽出した複数作品分の歌唱者属性・声質評価記述・技巧評価記述とをマッチングアルゴリズムにより照合し、利用者選択情報との適合性の高いカラオケ唱歌録音作品を選出し、
第４処理は、第３処理で選出したカラオケ唱歌録音作品の作品ＩＤごとに歌唱者名称をユーザインタフェースに表示し、表示中の作品の再生を指示する利用者入力を受け付けた際、当該作品ＩＤに基づいて唱歌録音作品データベースから該当のカラオケ唱歌録音作品を抽出して再生する
カラオケ唱歌録音作品の鑑賞システム。
【発明の詳細な説明】
【技術分野】
【０００１】
この発明は、歌伴奏音楽と利用者の歌声とを収録した唱歌録音作品を作成して提供するカラオケ録音サービスに関し、とくに、唱歌録音作品を適切に管理して提供するための技術に関する。
【背景技術】
【０００２】
カラオケにおいて、利用者の歌声を伴奏音楽とともに録音したＣＤ−ＲＯＭやＭＤを作成できるサービスがよく知られ、好評を博している。このようなカラオケ録音システムに関連して、たとえば特許第３５１５０６９号公報や特許第３５２２２１５号公報など、多数の技術が開示されている。このサービスによれば、単なるカラオケのように歌いっぱなしではなく歌唱が記録として残る。そのため、利用者にも自然と熱も入り、プロさながらに多大なエネルギーを注ぎ込んで唱歌録音作品を作り出す。
【特許文献１】特許第３５１５０６９号公報
【特許文献２】特許第３５２２２１５号公報
【発明の開示】
【発明が解決しようとする課題】
【０００３】
せっかく多大なエネルギーを注ぎ込んで作った作品を、自分が聞くだけでなく多くの人にも聞いてもらいたいと思うのは自然な感情である。唱歌録音作品を歌唱のプロに聞いてもらい、採点してもらう歌唱検定サービスなども知られている。そのようなサービスも相乗して、新しい唱歌録音作品が続々と生み出されている。
【０００４】
そこで本発明者は、作品が生まれる一方ではもったいないので有効に利用したいと、作品をデータベース化することを考えた。作品のデータベース化に際しては、多くの人に聞いてもらうことを想定し、様々な人の気分に合わせて様々な角度から検索できるようにデータベースを構築しておけば、新しいサービス提供の可能性も拡がって便利だと考え、本発明を創作した。
【課題を解決するための手段】
【０００５】
この発明に係るシステムは、分説すると、つぎの事項（１）〜（11）により特定されるものである。
（１）楽曲索引データベースと、唱歌録音作品データベースと、ユーザインタフェースと、制御手段を備えたカラオケ唱歌録音作品の鑑賞システムであること
（２）楽曲索引データベースは、カラオケ装置で演奏される各楽曲について、楽曲ＩＤと、曲名・アーティスト名・ジャンルを含む楽曲属性を対応づけて記述すること
（３）唱歌録音作品データベースは、カラオケ装置で演奏されたカラオケ伴奏音楽とこれに合わせて歌った人の歌声を録音したカラオケ唱歌録音作品を作品ＩＤに対応づけして格納し、目次を有すること
（４）目次は、各カラオケ唱歌録音作品について、楽曲ＩＤと、歌唱者名称を含む歌唱者属性と、歌唱の声質評価記述と、歌唱の技巧評価記述の対応づけを含むこと
（５）ユーザインタフェースは、制御手段の制御に従い利用者に情報を表示するとともに、利用者の操作入力を受け付けること
（６）制御手段は、利用者に、ユーザインタフェースを介して楽曲索引データベースに基づく楽曲検索を行わせること
（７）制御手段は、利用者が楽曲検索により１つの楽曲を特定した際、第１処理〜第４処理を行うこと
（８）第１処理は、特定された楽曲の楽曲ＩＤに基づいて唱歌録音作品データベースの目次を検索し、当該楽曲ＩＤに対応づけされた複数作品分の歌唱者属性・声質評価記述・技巧評価記述を抽出すること
（９）第２処理は、第１処理で抽出した作品数と、歌唱者属性・声質評価記述・技巧評価記述に関する複数の属性項目のそれぞれについての属性値選択肢とをユーザインタフェースに表示するとともに、属性値選択肢に対する利用者の選択入力を受け付けること
（10）第３処理は、第２処理で受け付けた利用者選択情報と、第１処理で抽出した複数作品分の歌唱者属性・声質評価記述・技巧評価記述とをマッチングアルゴリズムにより照合し、利用者選択情報との適合性の高いカラオケ唱歌録音作品を選出すること
（11）第４処理は、第３処理で選出したカラオケ唱歌録音作品の作品ＩＤごとに歌唱者名称をユーザインタフェースに表示し、表示中の作品の再生を指示する利用者入力を受け付けた際、当該作品ＩＤに基づいて唱歌録音作品データベースから該当のカラオケ唱歌録音作品を抽出して再生すること
【発明の効果】
【０００８】
この発明によれば、多くの人の唱歌作品の中から、そのときどきの感性に合った作品を選んで聞いたり利用したりできる。作品の選出のし方が大幅に拡がり、思わぬ作品に出会うこともあるので、検索自体を楽しむこともできるようになる。続々と増加する唱歌作品を有効に利用できる。さらに、唱歌作品の製作意欲をかきたて新たに製作する人も増加するので、カラオケを利用する人の増加も見込まれる。
【発明を実施するための最良の形態】
【０００９】
＝＝＝唱歌録音作品のデータ構成＝＝＝
本実施例に係る唱歌録音作品は、周知のカラオケ装置やカラオケ事業者が運用するサーバーのハードディスク装置などに記録されたデータとして存在する。カラオケ装置で再生されたカラオケ伴奏音楽とマイクロホンから採取された歌唱者の歌声とを混合したアナログ信号を、ＰＣＭ方式などによりデジタル変換して作成したものである。Ｄ／Ａ変換回路を内蔵した音楽再生装置を用いて再生し、スピーカーやイヤホンから音響出力することが可能である。本発明は、このデジタルデータを、以下に説明する唱歌録音作品データベースに格納して管理するものである。
【００１０】
なお、カラオケ伴奏音楽なしの歌声のみの録音データと、カラオケデータ形式の伴奏音楽との組合せを唱歌録音作品としてもよい。カラオケ装置などで唱歌録音作品を再生する際に、歌声に同期させてカラオケ伴奏音楽を再生させる。あるいは、唱歌録音作品を再生する際にカラオケデータ形式の伴奏音楽を組み合わせることを前提として、唱歌録音作品には伴奏音楽を含めない構成としてもよい。
【００１１】
＝＝＝唱歌録音作品データベースの構成＝＝＝
本実施例の唱歌録音作品データベースは、カラオケ事業者が運営するサーバー装置に上記作品を格納し、作品ＩＤをキー情報として構築されている。サーバー装置は、よく知られた構成の汎用コンピュータである。ＣＰＵ・ＲＡＭ・ＲＯＭを含むコンピュータ本体が、ハードディスク、外部装置とネットワークを介してデータ通信するための通信制御部、利用者の入力を受け付けたり出力を利用者に提示したりするユ―ザインタフェース装置などの周辺機器を制御統括している。ハードディスク上には、通信制御部を介して適宜に取り寄せた作品を記憶するとともに、作品ＩＤをキー情報とした作品の目次を作成・記憶して、唱歌録音作品データベースとして管理している。
【００１２】
図１に本実施例の唱歌録音作品データベースのデータ構成を例示している。このデータベースの目次は、作品ごとに各種属性項目の属性値が記述されたレコードの集合として構成されている。属性項目として、作品ＩＤ、作品の格納場所、作成日などの作品識別情報のほか、楽曲ＩＤ、曲名、曲調情報などの楽曲識別情報と、歌唱者ＩＤ、歌唱者の性別や年代などの歌唱者識別情報と、歌唱の声質を評価した記述と、歌唱の技巧を評価した記述などが列挙されている。そして、いずれかの属性項目の１つ以上について属性値を特定してデータベースを検索すると、この目次を参照して該当の作品を抽出できるように構成されている。
【００１３】
作品ＩＤは、作品データ生成時に適宜に割りふられる識別符号である。歌唱したカラオケ楽曲を識別する楽曲ＩＤと、歌唱者を識別する歌唱者ＩＤ、歌唱日（作成日）などを組み合わせて決定されるものでもよい。
【００１４】
楽曲ＩＤは、よく知られているように、カラオケ楽曲を特定可能な６桁の数値で構成される。楽曲ＩＤを指定すると、たとえば特許第３６４３０７０号公報や特許第３６４３０７１号公報などに開示されている電子目次本の技術でよく知られているように、カラオケ装置に付帯する楽曲の各種属性情報を格納した周知の楽曲索引データベースを用いて、曲名やアーティスト名、楽曲のジャンルなどの楽曲に関する属性を特定できる。もちろん、これらの楽曲索引データベースと同一の属性項目をこの作品データベースにも格納するようにしてもよい。
【００１５】
歌唱者ＩＤは、たとえばカラオケ利用店での会員番号や自宅電話番号、カラオケ利用店名と氏名との組合せなど、歌唱者を特定できる情報である。
【００１６】
本実施例ではとくに楽曲識別情報のひとつとして、曲調情報が含まれる。たとえば、幻想的、写実的、牧歌的、叙情的、リズミカル、ダイナミックといった属性値が記述されている。これは前述の楽曲索引データベースと同様に、カラオケ事業者などによって適宜に属性値が記述される。
【００１７】
その他の楽曲識別情報として、各曲の表現しているテーマや各曲のキーワードなどの楽曲の特徴を記述する属性項目を含めてもよい。
【００１８】
＝＝＝声質評価記述＝＝＝
本実施例の作品データベースの目次には、属性項目として、歌唱者の声質を評価した記述が含まれる。ここでは、高いか低いか、男性的か女性的か、かすれているか澄んでいるか、太いか細いか、張りがあるかないかというように、それぞれ対極的な表現で規定された複数の項目について、各項目内での偏り度合いを示している。たとえば男性的か女性的かという項目について、男性的と女性的の間が１から５の５段階に分類され、非常に男性的な声質は１、非常に女性的な声質は５、男性的とも女性的ともいえない中間の声質は３というように、評価対象の声質がどの段階に位置するかが記述されている。
【００１９】
また、その他の記述方法として、たとえば著名なアーティストの声質との類似度合いが記述されるものでもよい。その類似度合いを決定する際に、上記のような複数の項目を対比させて決定することも可能である。
【００２０】
なお、声質にはさまざまな角度からの評価記述が知られている。たとえば、声楽においてソプラノ、メゾ・ソプラノ、アルト、テノール、バリトン、バスといった音域の表現はよく知られているところであるが、ソプラノ・コロラトゥーラ（力強い表現に適した声質）、ソプラノ・スプレット（快活な若い娘の役などに適した声質）、テノール・リリコ（叙情性と力強さを兼ね備えた声質）などというように、音域と声質とを組み合わせた表現方法も知られている。声質の聴取印象を具体化する音声モンタージュの研究においては、信頼性が高く安定した声質表現について研究されている。本明細書ではこれ以上の説明は割愛するが、多面からの声質評価記述を豊富に含めることにより、より細やかな検索を行えるデータベースを構築することができる。
【００２１】
＝＝＝技巧評価記述＝＝＝
本実施例の唱歌録音作品データベースの目次には、上述のとおり、属性項目として歌唱の評価結果などの歌唱の技巧を評価した記述が含まれる。これは、歌唱時にカラオケ装置が録音処理と並行して歌唱内容を評価したり、歌唱後にパソコンや音楽再生装置が作品を再生させてその内容を評価したりして、その評価結果を記述したものである。
【００２２】
本実施例では、ピッチの正確さ、ビブラート特性、発声タイミング特性などの歌唱技巧の評価項目に基づいて評価され記述されている。技巧評価の技術については、たとえば特許第３２９０９１８号公報、特許第３４５２７９２号公報などに開示されているような歌唱採点技術が適用される。ここでは技巧評価技術の詳細については言及しない。
【００２３】
ピッチの正確さは、たとえば、カラオケデータに含まれるガイドボーカルのピッチと歌唱者の音声のピッチとを演奏時系列上の適宜な区間ごとに比較して、その一致度合いを算出する。たとえば完全に一致する場合を１００点とした得点であらわす。全歌唱区間について算出した値の平均値を、その得点に応じて５段階程度に分類する。８０点以上であるとかかなり正確な場合は１，逆に２０点以下であるとかまったく不正確な場合は５、というようにピッチの正確さを記述している。
【００２４】
ビブラート特性には、ビブラートの深さや早さの度合いが記述されている。たとえば、作品データの各音につきピッチの振れ幅の大小を分析してビブラートの深さを決定し、たとえば非常に深い場合は５，非常に浅い場合は１というように、５段階程度の分類に則して記述している。また、ピッチの振れの周波数を分析してピッチの早さを決定し、非常に早い場合は５、非常に緩やかな場合は１というように、５段階程度の分類に則してピッチの早さを記述している。
【００２５】
発声タイミング特性には、発声の溜めや走りの度合いが記述されている。たとえば、作品データの各音をガイドボーカルの各音と対比させ、各フレーズの最初の音が発音されるタイミングの遅延が大きいと溜めが大、遅延が小さい場合は溜めが小と判定する。逆に遅延するよりむしろ先走っている場合は走り（およびその多少度合い）と判定する。そして、それらの程度を５段階程度に分類し、たとえば溜めが非常に大きい場合は５、溜めも走りもない場合は３、走りが非常に大きい場合は１というように記述される。
【００２６】
その他にも技巧評価記述に関して、こぶしの効かせ方の大小度合いを記述したこぶし特性などの属性項目を含めてもよい。
【００２７】
＝＝＝唱歌録音作品データベースの検索方法その１＝＝＝
周知のカラオケ装置でカラオケ利用時などに、唱歌録音作品データベースを検索利用できるようにシステム構成する。カラオケ装置に唱歌録音作品データベースを格納したり、唱歌録音作品データベースを格納したサーバー装置とデータ通信可能に構成したりすればよい。カラオケ装置とデータ通信可能な携帯コンピュータに唱歌録音作品データベースを格納し、この携帯コンピュータをユーザインタフェース装置としてユーザの指定入力を受け付けたりユーザに結果を提示したりして作品を検索させ、検索結果の作品をカラオケ装置に通知して再生させるように構成してもよい。
【００２８】
そして、カラオケ装置で利用できるサービスの一つとして、たとえば図２に例示したように、カラオケ装置のユーザインタフェース装置上に唱歌録音作品の鑑賞メニューを用意する。利用者がカラオケ装置のユーザインタフェースを介してこの唱歌録音作品の鑑賞メニューを指示すると、ユーザインタフェース上で各属性項目の属性値を指定入力できるように構成しておく。図３〜図７に、カラオケ装置のユーザインタフェース装置としての携帯コンピュータの画面遷移を例示している。ここでは、鑑賞メニューのトップ画面では、「選曲して探す」と「特徴で探す」を選択入力できるように構成している（図３参照）。
【００２９】
利用者が「選曲して探す」を指定した場合、ユーザインタフェース上の指示にしたがって、曲名を指定したり、目次本などを参照して直接楽曲ＩＤを指定したりして、聴きたい楽曲を選曲する（図４参照）。この際に、前述した楽曲索引データベースとデータ通信して選曲するように構成することも可能である。１曲が選曲されると、１つの楽曲ＩＤが指定されることになる。
【００３０】
楽曲ＩＤが指定されると、携帯コンピュータは唱歌録音作品データベースの目次を参照し、当該楽曲ＩＤに関する作品のレコードを抽出する。ユーザインタフェース上には該当の作品数（抽出したレコード数）を表示させる。該当の作品数が所定以下であれば、歌唱日や歌唱者名などを用いて作品を一覧表示させるようにしてもよい。
【００３１】
利用者は指定した楽曲を歌唱する作品の中から、さらに、聴きたい作品の特徴を指定して絞り込んでいくことができる。つまり、歌唱者の声質や技巧の特徴を指定して作品を絞り込めることが本発明の特徴である。楽曲を指定して作品数が絞り込まれると、図５〜図６に例示したように、歌唱者の声質や歌唱技巧について特徴を指定入力できるように画面表示される。
【００３２】
利用者は適宜に画面のページを繰る操作を行いながら、各項目について適宜に表示された中から選択したり数値を入力したりして特徴を指定する。たとえば、やや女性的な声の作品を探している場合には、「男性的か女性的か」について４を指定入力する。４と５というように同一項目について複数の属性値の指定入力を受けつけて、４以上として指定できるようにしてもよい。利用者が特徴の指定入力を終えて「検索」ボタンを指示するなどして検索させると、携帯コンピュータは先に目次から取り出したレコードの中から、該当するレコードを取り出してそれらの作品の歌唱日や歌唱者を用いて作品を一覧表示させる（図７参照）。該当作品が所定数以上の場合には、複数頁にわたって表示させ、利用者が適宜にページを繰ったり戻したりできるようにするとよい。
【００３３】
特徴を１つだけ指定する場合には、上記のようにして該当の一つの属性項目についてのみ属性値を指定入力して、他の項目について指定しないまま検索を指示すればよい。複数の属性項目について特徴を指定入力することもできる。たとえば前述の「男性的か女性的か」に加え、「高いか低いか」についてやや高いことを示す２を指定入力したうえで「検索」ボタンを指示する。表示されている全ての項目について指定入力することができる。携帯コンピュータは、先に目次から取り出したレコードの中から、「男性的か女性的か」が４か５、「高いか低いか」が２であるレコードを抽出し、該当する作品を一覧表示させる。
【００３４】
適宜に特徴を指定入力させる画面に戻って検索し直すことも可能である。仮に指定した項目が多く検索の結果該当するレコードがゼロになった場合には、指定する特徴を減らして検索し直せばよい。
【００３５】
また、特徴を入力する際に「声で調べる」と「歌い方で調べる」を選択指定できるようにしておき、利用者が「声で調べる」を選択すると、唱歌録音作品データベースの目次に含まれる属性項目のうち声質に関する項目について入力できる画面（頁）に遷移させ、「歌い方で調べる」を選択すると、唱歌録音作品データベースの目次に含まれる属性項目のうち技巧に関する項目について入力できる画面に遷移させるように構成しておくと、指定したい特徴の指定入力箇所が探しやすくて便利である。この場合にも、適宜にページを繰ったり戻したりする操作を行って、声質に関する項目・技巧に関する項目のすべてについて指定できるように構成する。  
その他にも、歌唱者の性別や年代を指定入力できるようにしてもよい。
【００３６】
以上のようにして絞り込まれ一覧表示されている作品の中から利用者が１作品を選択指定すると、当該作品の識別情報や格納箇所がカラオケ装置に通知される。カラオケ装置は作品を取り寄せて作品を再生する。利用者が選択した作品について、検索条件として指定した項目の属性値など、適宜に目次情報を提示するとよい。
【００３７】
なおデータベース検索処理においては、検索条件とデータベースの目次とを照合させ、所定のマッチングアルゴリズムにより一致度や類似度を判定して数値化し、所定の範囲内に該当するレコードを抽出する。上記では説明を簡単にするため、検索条件と一致するレコードを抽出している。類似度の判定に際しては、よく知られたデータマイニングの手法を用いて、同一属性項目内の属性値間の類似度をあらかじめ設定しておいたり、複数の属性項目間の相関ルール（高頻度で生じる組合せについて、支持度と確信度で規定する）をあらかじめ設定しておいたりする。このような類似検索によれば、たとえばシャンプーとリンスの売り上げに確信度の高い相関関係があるように、各項目の属性値が検索条件と一致していないレコードであっても、複数項目の組合せを一対で比較することによって類似すると判定され抽出され得る。
【００３８】
＝＝＝唱歌録音作品データベースの検索方法その２＝＝＝
利用者は、鑑賞メニューのトップ画面（図３参照）で「特徴で探す」を指定した場合、歌唱している楽曲を指定せずに、聴きたい作品の曲調や歌唱者の声質や技巧の特徴を指定して作品を絞り込むことができる（図８参照）。曲調に加え、楽曲のテーマやキーワードなどの楽曲の特徴を指定できるようにしてもよい。上記「選曲して探す」を指定した場合の選曲後の検索方法とは、選曲するかわりに曲調などを選択指定入力して作品を絞り込むという点以外では、歌唱者の声質や技巧の特徴の指定入力については同様である。
【００３９】
たとえば、利用者はダイナミックな曲調の作品を聴いて自分を元気付けたいときには、曲調について「ダイナミック」を選択指定する。曲調を選択指定入力できる以外は、歌唱者の声質や技巧の特徴の指定入力については、上記検索方法その１の場合と同様である。たとえば、そのときの気分にあわせて女声の声量豊かでダイナミックな作品を鑑賞したい場合に、歌唱者の性別「女性」、曲調「ダイナミック」、声質に関する属性項目「張りがあるかないか」は非常に張りがあることを示す１、ビブラート特性は非常に大きいことを示す５、というように複数の特徴を指定入力する。このように、利用者は適宜に１つ以上の特徴に該当する属性項目について属性値を指定し、「検索」ボタンを指示入力して検索させる。
【００４０】
携帯コンピュータは、上記検索方法その１の場合と同様に唱歌録音作品データベースを検索し、該当の作品レコードを抽出し、それらの作品を一覧表示させる。作品数が所定数以上で１頁に表示できない場合には、複数頁にわたって表示させる（図９参照）。利用者が適宜にページを繰る操作を行いながら絞り込まれ一覧表示されている作品の中から１作品を選択し指定すると、その選択した作品について、歌唱者名や曲目、その他検索条件に指定した項目の属性値など、適宜に目次情報が提示される。そして、当該作品の識別情報や格納箇所がカラオケ装置に通知される。カラオケ装置は作品を取り寄せて作品を再生させる。
【００４１】
＝＝＝唱歌録音作品データベースの適用例＝＝＝
上記のように、そのときの気分にあわせて作品を鑑賞したい場合に、この唱歌録音作品データベースを検索することにより、希望の曲を絞り込んでいくことができる。ユーザインタフェース上で絞り込まれた曲目の中から選曲して指定すると、その作品を取り出したり聴いたりすることができる。
【００４２】
デュエットしたい相手を探している場合に、自分の声質と合う声質の歌唱者やその作品を絞り込むこともできる。たとえば声質や技巧を特定して作品を検索し、絞り込まれた作品の歌唱者の中から目的の歌唱者を探し出すことができる。選曲せずに曲調や声質を指定してデュエットしたい曲と同じジャンルの作品を絞り出し、作品を発掘したりそれらの歌唱者を探し出したりすることもできる。
【００４３】
唱歌録音作品データベースの利用は、カラオケの場に限らない。作品データベースにはインターネットなどの公衆ネットワークを介してアクセス可能にしておく。この場合に、作品データベースを有料で公開してもよい。たとえば、歌手としてスカウトしたい歌唱者を発掘しようとしている場合にも、上記と同様にして目的の歌唱者を探し出すことができる。
【００４４】
また、各種広告やコマーシャルのＢＧＭに使用したい作品やその歌唱者を探し出すこともできる。広告等のイメージに合わせて声質や曲調などを特定して作品を絞り込んで目的の作品を探し出したり、その歌唱者を特定したりできる。
【図面の簡単な説明】
【００４５】
【図１】本実施例に係る唱歌録音作品データベースのデータ構成を例示した図である。
【図２】本実施例に係る唱歌録音作品データベースのユーザインタフェース装置画面に表示されるトップメニューを例示した図である。
【図３】同ユーザインタフェース装置に表示される作品鑑賞メニュー選択時の画面例である。
【図４】同ユーザインタフェース装置に表示される「選曲して探す」メニュー選択時の画面例である。
【図５】同ユーザインタフェース装置に表示される特徴入力の画面例である。
【図６】同ユーザインタフェース装置に表示される特徴入力の画面（続き）例である。
【図７】同ユーザインタフェース装置に表示される「選曲して探す」メニュー選択時の検索結果を例示した図である。
【図８】同ユーザインタフェース装置に表示される「特徴で探す」メニュー選択時の特徴入力の画面例である。
【図９】同ユーザインタフェース装置に表示される「特徴で探す」メニュー選択時の検索結果を例示した図である。
【符号の説明】
【００４６】
１  属性項目
２  属性値
【図１】
0004447540.tif 000002
【図２】
0004447540.tif 000003
【図３】
0004447540.tif 000004
【図４】
0004447540.tif 000005
【図５】
0004447540.tif 000006
【図６】
0004447540.tif 000007
【図７】
0004447540.tif 000008
【図８】
0004447540.tif 000009
【図９】
0004447540.tif 000010